(57)【要約】      （修正有）【課題】回線品質が悪い場合でも、通信中内のリカバリの繰り返しや、通信エラーと再送を最小限に抑えて通信効率を向上することができる画像通信装置、画像通信方法及びプログラムを提供する。【解決手段】画像通信装置３１において、システム制御部３９は、通信回線を介して画像データの送受信が完了した後に、通信品質情報記憶部４３に直近の通信品質情報を記憶し、この通信品質情報に基づいて通信パラメータ種別を生成して通信パラメータ記憶部４５に記憶し、記憶された通信パラメータ種別から補正が必要か否かを基準値に基づいて通信パラメータ補正要否判断部４７により判断し、補正の必要がありと判断された通信パラメータ種別を通信パラメータ補正部４９により補正して、通信パラメータ記憶部４５を更新する。【選択図】図２
2020136808.tif 000002
【特許請求の範囲】
【請求項１】
通信回線を介して画像データの送受信が完了した後に、当該送受信に係る通信品質情報を記憶する通信品質情報記憶手段と、
通信パラメータ種別、前記通信パラメータ種別に係る各設定値、及び前記通信パラメータ種別に該当する設定情報を記憶する通信パラメータ記憶手段と、
前記通信品質情報記憶手段から読み出された通信品質情報に基づいて、前記通信パラメータ記憶手段に記憶された前記通信パラメータ種別の補正の要否を判断する通信パラメータ補正要否判断手段と、
前記通信パラメータ補正要否判断手段により補正が必要であると判断された場合に、補正が必要な通信パラメータ種別を補正して前記通信パラメータ記憶手段に記憶する通信パラメータ補正手段と、を備えたことを特徴とする画像通信装置。
【請求項２】
前記通信パラメータ補正要否判断手段は、前記通信品質情報記憶手段に記憶された通信品質情報から選別された選別品質情報に基づいて、前記通信パラメータ種別の補正の要否を判断することを特徴とする請求項１に記載の画像通信装置。
【請求項３】
前記選別品質情報は、モデム選別、通信開始レート、通信完了レート、通信完了レート、制御フレーム再送回数、画情報再送回数、切断要因、及びＥＱＭ値のうち少なくとも１つであることを特徴とする請求項２に記載の画像通信装置。
【請求項４】
前記通信パラメータ補正要否判断手段は、前記選別品質情報のそれぞれに基準値を設定し、前記基準値を満たさなかった時に前記通信パラメータ種別を補正すると判断することを特徴とする請求項２又は３に記載の画像通信装置。
【請求項５】
前記通信パラメータ補正手段は、前記通信パラメータ補正要否判断手段により補正が必要であると判断された場合に、前記通信品質情報記憶手段に記憶された通信品質情報から伝送品質劣化要因を抽出し、抽出された伝送品質劣化要因に関連する通信パラメータ種別を補正することを特徴とする請求項１に記載の画像通信装置。
【請求項６】
前記通信パラメータ補正手段は、前記伝送品質劣化要因が同一の通信パラメータ種別を同一のグループとし、グループ毎の優先度に従って該当する通信パラメータ種別を選定して補正することを特徴とする請求項５に記載の画像通信装置。
【請求項７】
通信回線を介して画像データの送受信が完了した後に、当該送受信に係る通信品質情報を記憶する通信品質情報記憶手段と、
通信パラメータ種別、前記通信パラメータ種別に係る各設定値、及び前記通信パラメータ種別に該当する設定情報を記憶する通信パラメータ記憶手段と、を備えた画像通信装置による画像通信方法であって、
前記通信品質情報記憶手段から読み出された通信品質情報に基づいて、前記通信パラメータ記憶手段に記憶された前記通信パラメータ種別の補正の要否を判断する通信パラメータ補正要否判断ステップと、
前記通信パラメータ補正要否判断ステップにより補正が必要であると判断された場合に、補正が必要な通信パラメータ種別を補正して前記通信パラメータ記憶手段に記憶する通信パラメータ補正ステップと、を実行することを特徴とする画像通信方法。
【請求項８】
請求項７に記載された画像通信方法における各ステップをプロセッサに実行させることを特徴とするプログラム。
【発明の詳細な説明】
【技術分野】
【０００１】
本発明は、画像通信装置、画像通信方法、及びプログラムに関する。
【背景技術】
【０００２】
従来、通信時に生じるビット誤りパターン、又はフレーム誤りパターンをバースト状か、ランダム状に生ずるエラーかを判定し、当該エラーパターンによって、最適通信条件を求めて送信側にプロトコル信号として伝送して、最適通信条件で通信することを促すように構成されたデジタルデータ通信制御システムが知られている。
このようなデジタルデータ通信制御システムにあっては、通信伝送路上で発生したデジタルデータの誤りをビット毎に、又は通信伝送単位であるフレーム毎にパターン認識して、通信伝送路の通信状態を判定するビット誤りパターン／フレーム誤りパターン判定手段が設けられている。
【０００３】
このような従来のデジタルデータ通信制御システムの一例として、特許文献１が知られている。
特許文献１には、受信側は、通信伝送路上で発生したデジタルデータの誤りをビット毎、又はフレーム毎にパターン認識して、通信状態を判定して最適通信条件を送信側に伝送する技術が開示されている。
【０００４】
詳しくは、特許文献１にあっては、ビット誤りパターン／フレーム誤りパターン判定手段が、ビット毎の誤りパターンとフレーム毎の誤りを認識する場合において、それぞれ予め定めたビット誤り率、フレーム誤り率よりも受信したデジタルデータのビット誤り率が大きくなる期間が、それぞれ予め定めた期間よりも長くなったことを検知して通信伝送路の通信状態を判定するので、通信リカバリと再送を繰り返し行うことができる。
【発明の概要】
【発明が解決しようとする課題】
【０００５】
しかしながら、特許文献１にあっては、受信側は、通信伝送路上で発生したデジタルデータの誤りをビット毎、又はフレーム毎にパターン認識して、通信状態を判定して最適通信条件を送信側に伝送することにより、通信リカバリ、通信エラー、及び通信パラメータ変更による再送は可能であるが、回線品質の悪い環境では、これらの再送動作を繰り返すため通信効率を高めることができないといった問題がある。
【０００６】
本発明は、上記に鑑みてなされたもので、その目的としては、通信完了の後に、直近に記憶された通信品質情報をもとに機器の通信パラメータの初期値を補正することで、次に通信する時に、その通信環境に適した通信パラメータにより通信を開始できるようにして、回線品質が悪い場合でも、通信中内のリカバリの繰り返しや、通信エラーと再送を最小限に抑えて通信効率を向上することにある。
【課題を解決するための手段】
【０００７】
請求項１記載の発明は、上記課題を解決するため、通信回線を介して画像データの送受信が完了した後に、当該送受信に係る通信品質情報を記憶する通信品質情報記憶手段と、通信パラメータ種別、前記通信パラメータ種別に係る各設定値、及び前記通信パラメータ種別に該当する設定情報を記憶する通信パラメータ記憶手段と、前記通信品質情報記憶手段から読み出された通信品質情報に基づいて、前記通信パラメータ記憶手段に記憶された前記通信パラメータ種別の補正の要否を判断する通信パラメータ補正要否判断手段と、前記通信パラメータ補正要否判断手段により補正が必要であると判断された場合に、補正が必要な通信パラメータ種別を補正して前記通信パラメータ記憶手段に記憶する通信パラメータ補正手段と、を備えたことを特徴とする。
【発明の効果】
【０００８】
本発明によれば、回線品質が悪い場合でも、通信中内のリカバリの繰り返しや、通信エラーと再送を最小限に抑えて通信効率を向上させることにある。
【図面の簡単な説明】
【０００９】
【図１】本発明が適用されるファクシミリ装置のハードウェア構成を示すブロック図である。
【図２】本発明が適用される画像通信装置の要部の機能ブロック図である。
【図３】本発明が適用される画像通信装置の全体的な動作を説明するフローチャートである。
【図４】本発明が適用される画像通信装置の通信品質情報記憶部内の構成を示す図である。
【図５】本発明が適用される画像通信装置の通信品質情の履歴を示す図である。
【図６】本発明が適用される画像通信装置の補正する通信パラメータ種別と設定値を示す図である。
【図７】本発明が適用される画像通信装置の通信パラメータ補正部が通信パラメータを補正する時に参照する通信品質劣化要因を示す図である。
【図８】本発明が適用される画像通信装置の通信パラメータ補正部が通信パラメータを補正する時に参照する通信品質劣化要因とその優先度を示す図である。
【図９】本発明が適用される画像通信装置の通信パラメータ補正要否判断部の動作を説明するフローチャートである。
【図１０】本発明が適用される画像通信装置の通信パラメータ補正部の動作を説明するフローチャートである。
【発明を実施するための形態】
【００１０】
以下、本発明を図面に示した実施の形態により詳細に説明する。
本発明は、回線品質が悪い場合でも、通信中内のリカバリの繰り返しや、通信エラーと再送を最小限に抑えて通信効率を向上させるために、以下の構成を有する。
【００１１】
即ち、本発明の画像通信装置は、通信回線を介して画像データの送受信が完了した後に、当該送受信に係る通信品質情報を記憶する通信品質情報記憶手段と、通信パラメータ種別、前記通信パラメータ種別に係る各設定値、及び前記通信パラメータ種別に該当する設定情報を記憶する通信パラメータ記憶手段と、前記通信品質情報記憶手段から読み出された通信品質情報に基づいて、前記通信パラメータ記憶手段に記憶された前記通信パラメータ種別の補正の要否を判断する通信パラメータ補正要否判断手段と、前記通信パラメータ補正要否判断手段により補正が必要であると判断された場合に、補正が必要な通信パラメータ種別を補正して前記通信パラメータ記憶手段に記憶する通信パラメータ補正手段と、を備えたことを特徴とする。
以上の構成を備えることにより、回回線品質が悪い場合でも、通信中内のリカバリの繰り返しや、通信エラーと再送を最小限に抑えて通信効率を向上させることができる。
上記の本発明の特徴に関して、以下、図面を用いて詳細に説明する。
【００１２】
＜ファクシミリ装置のハードウェア構成＞
＜第１実施形態＞
図１は、本発明が適用されるファクシミリ装置のハードウェア構成を示すブロック図である。
ファクシミリ装置１は、制御部３、操作表示部５、原稿読み取り部７、画像印刷部９、モデム１１を備えている。なお、モデム１１は公衆回線１３に接続されている。
【００１３】
制御部３は、ファクシミリ装置１全体を制御するために、ＣＰＵ（Central Processing Unit）２１、ＲＯＭ（Read Only Memory）１５、ＲＡＭ（Random Access Memory）１７、取得部１９、判断部２３、変更部２５、通信制御部２７等を備えている。
ＲＯＭ１５は、ファクシミリ装置１の基本プログラム、本発明の画像通信制御プログラム等のプログラム及びシステムデータ等を格納しており、ＲＡＭ１７は、ＣＰＵ２１のワークメモリとして利用される。
【００１４】
取得部１９は、ファクシミリ装置１の送信又は受信に応じて、当該送信又は受信に適用された複数の設定項目のそれぞれの設定値を取得する。
【００１５】
判断部２３は、取得された複数の設定項目のそれぞれに設定された条件に基づいて、当該設定項目の設定値を補正するか否かを判断する。
【００１６】
変更部２５は、補正すると判断された場合に、設定項目のうち通信品質項目の設定値を当該通信品質項目の基準値に変更する。
【００１７】
通信制御部２７は、変更部２５により変更された設定項目の設定値に基づいて、ファクシミリ装置１の送信及び受信を制御する。
なお、取得部１９、判断部２３、変更部２５、通信制御部２７の制御は、ハードウェアにより実現してもよいし、ソフトウェアにより実現してもよい。
【００１８】
操作表示部５は、受信側へのダイヤル番号の発信や操作内容等の表示を行う。
【００１９】
原稿読み取り部７は、原稿を走査して光学系を介して原稿画像をＣＣＤ等の撮像素子により符号化する。
【００２０】
画像印刷部９は、送信側から受信した画像データを複合して記録紙に印刷する。
【００２１】
モデム１１は、アナログ信号をデジタル信号に変調して送信すると共に、公衆回線５７からのアナログ信号をデジタル信号に復調して受信する。
【００２２】
＜画像通信装置の要部の構成＞
＜第２実施形態＞
図２は、本発明が適用される画像通信装置の要部の機能ブロック図である。
画像通信装置３１は、画像メモリ３３、画像読み取り部３５、画像データ符号化／複合部３７、システム制御部３９、画像印刷部４１、通信品質情報記憶部４３、通信パラメータ記憶部４５、通信パラメータ補正要否判断部４７、通信パラメータ補正部４９、ＦＡＸ通信制御部５１、モデム制御部５３、モデム制御ログ５５により構成されている。なお、図ではモデム制御部５３は公衆回線網５７に接続されている。
【００２３】
画像メモリ３３は、画像データ符号化／複合部３７により符号化された原稿情報と複合された受信情報を展開して記憶する。
画像読み取り部３５は、送信原稿を走査してＣＣＤ等の撮像素子により光電変換して画像データとして出力する。
【００２４】
画像データ符号化／複合部３７は、画像読み取り部３５により読み取られた画像データの符号化、及びＦＡＸ通信制御部５１より受信した符号化された情報を複合する。
【００２５】
システム制御部３９は、画像通信装置３１全体を制御するために、演算処理部及びＲＯＭ、ＲＡＭ、不揮発性メモリ等を備えている。ＲＯＭは、画像通信装置３１の基本プログラム、本発明の画像通信制御プログラム等のプログラム及びシステムデータ等を格納しており、ＲＡＭは、演算処理部のワークメモリとして利用される。
【００２６】
不揮発性メモリは、例えば、ＮＶＲＡＭ（Non Volatile RAM）等が用いられ、画像通信装置３１の電源電力がＯＦＦの場合にも記憶しておく必要のあるデータが格納される。特に、不揮発性メモリは、本発明の画像通信制御処理において用いる各種データ等を格納している。
【００２７】
演算処理部は、ＣＰＵ等で構成されている。演算処理部は、ＲＯＭ内のプログラムに基づいてＲＡＭをワークメモリとして利用して、画像通信装置３１の各部を制御し、画像通信装置３１としての基本処理を実行すると共に、本発明の画像通信制御処理を実行する。
【００２８】
すなわち、画像通信装置３１は、ＲＯＭ、ＥＥＰＲＯＭ（Electrically Erasable and Programmable Read Only Memory）、ＥＰＲＯＭ、フラッシュメモリ、フレキシブルディスク、ＣＤ−ＲＯＭ（Compact Disc Read Only Memory）、ＣＤ−ＲＷ（Compact Disc Rewritable）、ＤＶＤ（Digital Versatile Disk）、ＳＤ（Secure Digital）カード、ＭＯ（Magneto-Optical Disc）等のコンピュータが読み取り可能な記録媒体に記録されている。
【００２９】
本発明の画像通信制御方法を実行する画像通信制御プログラムを読み込んでシステム制御部３９のＲＯＭ等に導入することで、後述する画像通信制御方法を実行する画像通信装置３１として構築されている。この画像形成制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３０】
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ（Application Specific Integrated Circuit）、ＤＳＰ（digital signal processor）、ＦＰＧＡ（field programmable gate array）や従来の回路モジュール等のデバイスを含むものとする。
【００３１】
画像印刷部４１は、画像データ符号化／複合部３７により複合された画像データが、一旦画像メモリ３３で展開された画像データに基づいて画像を記録紙に印刷する。
【００３２】
通信品質情報記憶部４３は、画像通信装置３１による送信又は受信動作が完了した後、直近の通信品質情報６１（図４）を記憶する。なお、同時に通信品質情の履歴も記憶しておく（図５）。
【００３３】
通信パラメータ記憶部４５は、通信パラメータ種別７１、通信パラメータ種別７１に係る各設定値７３、及び補正する通信パラメータに該当する設定情報７５を記憶する（図６）。
【００３４】
通信パラメータ補正要否判断部４７は、通信品質情報記憶部４３より読み出した通信品質情報に基づいて、通信パラメータ記憶部４５に記憶された通信パラメータの補正の要否を判断する。
【００３５】
通信パラメータ補正部４９は、通信パラメータ補正要否判断部４７により通信品質診断を実行した結果、通信パラメータの補正が必要と判断された場合に補正が必要な通信パラメータを補正して通信パラメータ記憶部４５に記憶する。
【００３６】
ＦＡＸ通信制御部５１は、画像メモリ３３に記憶された送信画像を通信パラメータ記憶部４５に記憶された通信パラメータを利用して送信し、受信画像を複合して画像メモリ３３に記憶する。
【００３７】
モデム制御部５３は、アナログ信号をデジタル信号に変調して送信すると共に、公衆回線網５７からのアナログ信号をデジタル信号に復調して受信する。
【００３８】
モデム制御ログ５５は、モデム制御部５３で送信側のモデム信号の複合処理の段階でエラー検出した内容を記憶する。
公衆回線網５７は、一般的にはインターネット回線、又は電話回線を指す。
【００３９】
＜画像通信装置の要部の動作説明＞
次に画像通信装置３１の概略動作について説明する。ここでは、画像通信装置３１はＦＡＸ機能を有する画像通信装置として説明する。
１）まず、相手先の電話番号を入力して原稿は画像読み取り部３５により読み取られて、画像メモリ３３に一旦展開された後、画像データ符号化／複合部３７で符号化されて画像メモリ３３に記憶される。
２）ダイヤル信号送出すると送信側から受信側へＣＮＧ信号を送出する。
３）回線が接続されると、受信側では送信側からのＣＮＧ信号を検出し、ＦＡＸ通信制御部５１を起動してＣＥＤ信号を発して応答する。
【００４０】
４）送信側・受信側で互いに実装されている能力情報の受け渡しを行い利用可能な最大能力での通信速度・画像データの符号化・符号訂正方式などを決定してトレーニングによりモデムの調整を行う。
５）画像メモリ３３に記憶され送信画像は、ＦＡＸ通信制御部５１が通信パラメータ記憶部４５に記憶された通信パラメータを利用してモデム制御部５３を介して受信側に送信される。その時、受信側のＦＡＸからの受信完了信号を確認しながら送信側はデータを次々送信する。エラーの場合は、再送信を行う。
６）送信終了または、相手から一定時間応答が無い場合は回線を切断する。
【００４１】
７）ＦＡＸ動作が完了した後、図２に示す通信品質情報記憶部４３に直近の通信品質情報を記憶する。
８）次回通信のために、通信品質情報記憶部４３に記憶された通信品質情報に基づいて、通信パラメータ補正要否判断部４７は、図９に示すフローチャートの手順で通信品質診断を実行する。
９）通信品質診断を実行した結果、通信パラメータの補正が必要と判断された場合は、通信パラメータ補正部４９は、図１０に示すフローチャートの手順で通信パラメータの補正を実行して通信パラメータ記憶部４５の内容を更新する。一方、通信品質診断を実行した結果、通信パラメータの補正が必要でないと判断された場合は、何もしないで終了する。
【００４２】
＜画像通信装置の概略動作説明＞
＜第１実施形態＞
図３は、本発明が適用される画像通信装置の全体的な動作を説明するフローチャートである。
ステップＳ１では、通常のＦＡＸ通信を実行する。例えば、その時の送受信手順は、
１）相手先の電話番号を入力して原稿をイメージ情報としてメモリに記憶する。
２）ダイヤル信号送出すると送信側から受信側へＣＮＧ信号を送出する。
３）回線が接続されると、受信側では送信側からのＣＮＧ信号を検出し、ＦＡＸ装置を起動してＣＥＤ信号を発して応答する。
４）送信側・受信側で互いに実装されている能力情報の受け渡しを行い利用可能な最大能力での通信速度・画像データの符号化・符号訂正方式などを決定してトレーニングによりモデムの調整を行う。
５）方式にあわせた画像信号形式で送信側からデータを送信する。
受信側のＦＡＸからの受信完了信号を確認しながら送信側はデータを次々送信する。エラーの場合は、再送信を行う。
６）送信終了または、相手から一定時間応答無い場合、回線を切断する。
【００４３】
ステップＳ３では、ステップＳ１でＦＡＸ動作が完了した後、図２に示す通信品質情報記憶部４３に直近の通信品質情報（図４）を記憶する。
ステップＳ５では、通信品質情報記憶部４３に記憶された通信品質情報（図６）に基づいて、図９に示すフローチャートの手順で通信品質診断を実行する。
ステップＳ７では、通信品質診断を実行した結果、通信パラメータの補正が必要と判断された場合は（ステップＳ７でＹｅｓのルート）、ステップＳ９に進む。一方、通信品質診断を実行した結果、通信パラメータの補正が必要でないと判断された場合は（ステップＳ７でＮｏのルート）、何もしないで終了する。
ステップＳ９では、図１０に示すフローチャートの手順で通信パラメータの補正を実行する。
【００４４】
＜画像通信装置の通信品質情報記憶部内の構成＞
図４は、本発明が適用される画像通信装置の通信品質情報記憶部内の構成を示す図である。
通信品質情報記憶部４３には、通信品質情報欄６１、補足欄（通信品質情報の内容）６３があり、Ｎｏ１として、通信品質情報欄６１には「送受信種別と送信先／受信先番号」、補足欄６３には「ＴＸ／ＲＸ：相手先を示す電話番号」が記憶される。
Ｎｏ２として、通信品質情報欄６１には「ＥＣＭ機能」、補足欄６３には「機能ＯＮ／ＯＦＦ」するかが記憶される。ＥＣＭは（Error Correction Mode）を意味し、Ｇ３通信の一種で、ＥＣＭモードをもつファクス間の通信である。ＥＣＭモードで通信すると、データが相手に正しく送られたかどうかをチェックし、誤りがないことを確認しながら通信する。エラーなどでデータが正しく送られていない場合は、そのデータを再送信する方式である。
Ｎｏ３として、通信品質情報欄６１には「Ｖ８機能」、補足欄６３には「機能ＯＮ／ＯＦＦ」するかが記憶される。
Ｎｏ４として、通信品質情報欄６１には「モデム選別」、補足欄６３には「Ｖ３４／Ｖ１７／Ｖ２９／Ｖ２７ｔｅｒ」のモデムの中から選別して記憶する。
【００４５】
Ｎｏ５として、通信品質情報欄６１には「通信開始レート」、補足欄６３には「２．４Ｋｂｐｓ−３３．６Ｋｂｐｓ」の範囲でレートを選択して記憶する。
Ｎｏ６として、通信品質情報欄６１には「通信完了レート」、補足欄６３には「２．４Ｋｂｐｓ−３３．６Ｋｂｐｓ」の範囲でレートを選択して記憶する。
Ｎｏ７として、通信品質情報欄６１には「送信信号レベル」、補足欄６３には「信号レベル（ｄｂｍ）」として記憶する。
Ｎｏ８として、通信品質情報欄６１には「受信信号感度」、補足欄６３には「信号レベル（ｄｂｍ）」として記憶する。
【００４６】
Ｎｏ９として、通信品質情報欄６１には「制御フレーム再送回数」、補足欄６３には再送された「回数」を記憶する。
Ｎｏ１０として、通信品質情報欄６１には「画情報再送回数」、補足欄６３には再送された「回数」を記憶する。
Ｎｏ１１として、通信品質情報欄６１には「切断要因（通信切断時）」、補足欄６３には切断時の「通信エラーコード」を記憶する。
Ｎｏ１２として、通信品質情報欄６１には「ＥＱＭ値（受信時）」、補足欄６３には「モデム信号のばらつきを示す値」を記憶する。
以上の通信品質情報の中でＮｏ１以外が通信パラメータ補正要否判断に利用される。また、これらの情報は、図２の通信品質情報記憶部４３に記憶される。
【００４７】
＜画像通信装置の通信品質情の履歴＞
図５は、本発明が適用される画像通信装置の通信品質情の履歴を示す図である。
この例では、送受信種別欄６５、履歴欄６７、及び記憶数欄６９があり、送受信種別欄６５として送信と受信があり、送信の履歴欄６７には、予めアドレス帳に登録してある宛先が記憶されており、記憶数欄６９に過去最新で３件の宛先に送信したことが記憶されている。
【００４８】
また、受信の履歴欄６７には、直接入力した宛先が記憶されており、記憶数欄３９に過去最新で１０件の宛先に送信したことが記憶されている。
更に、受信の履歴欄６７には、記憶数欄３９に記憶数として過去最新で１０件受信したことが記憶されている。
なお、これらの情報は、図２の通信品質情報記憶部４３に記憶される。
【００４９】
＜画像通信装置の補正する通信パラメータ種別と設定値＞
図６は、本発明が適用される画像通信装置の補正する通信パラメータ種別と設定値を示す図である。
通信パラメータ記憶部４５には、補正する通信パラメータ種別欄７１、設定値７３、及び補正する通信パラメータに該当する設定情報欄７５があり、設定情報欄７５は更にアドレス帳の個別パラメータ（ａ）「アドレス帳指定で送信されたとき」、通信パラメータ／ビットスイッチ（ｂ）「直接入力指定で送信されたとき」、通信パラメータ／ビットスイッチ（ｃ）「受信した時」がある。ここで○印は各パラメータに該当する場合を表している。
【００５０】
この例では、
Ｎｏ１として、補正する通信パラメータ種別欄７１には「ＥＣＭ機能」、設定値７３には「機能ＯＮ／ＯＦＦ」が記憶され、補正する通信パラメータに該当する設定情報欄７５は（ａ）〜（ｃ）まで全て該当していることが記憶されている。
Ｎｏ２として、補正する通信パラメータ種別欄７１には「Ｖ８機能」、設定値７３には「機能ＯＮ／ＯＦＦ」が記憶され、補正する通信パラメータに該当する設定情報欄７５は、（ａ）〜（ｃ）まで全て該当していることが記憶されている。
Ｎｏ３として、補正する通信パラメータ種別欄７１には「通信開始レート」、設定値７３には「２．４Ｋｂｐｓ−３３．６Ｋｂｐｓ」が記憶され、補正する通信パラメータに該当する設定情報欄７５は、（ａ）〜（ｃ）まで全て該当していることが記憶されている。
【００５１】
Ｎｏ４として、補正する通信パラメータ種別欄７１には「送信信号レベル」、設定値７３には「信号レベル［ｄｂｍ］」が記憶され、補正する通信パラメータに該当する設定情報欄７５は、（ａ）〜（ｃ）まで全て該当していることが記憶されている。
Ｎｏ５として、補正する通信パラメータ種別欄７１には「受信信号感度」、設定値７３には「信号レベル［ｄｂｍ］」が記憶され、補正する通信パラメータに該当する設定情報欄７５は、（ｂ）、（ｃ）が該当していることが記憶されている。
Ｎｏ６として、補正する通信パラメータ種別欄７１には「相手先応答検出タイマー」、設定値７３には「待ち時間［ｓ］」が記憶され、補正する通信パラメータに該当する設定情報欄７５は、（ａ）、（ｂ）が該当していることが記憶されている。
Ｎｏ７として、補正する通信パラメータ種別欄７１には「ケーブルイコライザー（送信時）」、設定値７３には「補正なし−７．２Ｋｍ」が記憶され、補正する通信パラメータに該当する設定情報欄４５は、（ａ）、（ｂ）が該当していることが記憶されている。
なお、Ｎｏ６とＮｏ７は、図５に示す送受信種別６５の「送信」に該当する項目である。また、これらの情報は、図２の通信パラメータ記憶部４５に記憶される。
【００５２】
＜画像通信装置の通信品質劣化要因＞
図７は、本発明が適用される画像通信装置の通信パラメータ補正部が通信パラメータを補正する時に参照する通信品質劣化要因を示す図である。
通信品質情報記憶部４３には、通信品質情報欄８１、伝送品質に劣化ありと判断する基準値８３、補足欄８５、及び関連する伝送品質劣化要因欄８７があり、伝送品質劣化要因欄８７は更に伝送損失（ａ）、減衰ひずみ（ｂ）、雑音（ｃ）、群遅延歪み（ｄ）、エコー（ｅ）、位相ジッタ（ｆ）、瞬断（ｇ）がある。ここで○印は各パラメータに該当する場合を表している。
【００５３】
この例では、Ｎｏ１として、通信品質情報欄８１には「送受信種別と送信先／受信先番号」、補足欄８５には「相手先を示す電話番号」が記憶され、伝送品質劣化要因欄８７は該当するものはない。
Ｎｏ２として、通信品質情報欄８１には「ＥＣＭ機能」、伝送品質に劣化ありと判断する基準値８３には「ＯＦＦ設定」、補足欄８５にはこの「機能ＯＮ／ＯＦＦ」するかが記憶され、伝送品質劣化要因欄８７は、（ｂ）〜（ｅ）が該当していることが記憶されている。
Ｎｏ３として、通信品質情報欄８１には「Ｖ８機能」、伝送品質に劣化ありと判断する基準値８３には「ＯＦＦ設定」、補足欄８５にはこの「機能ＯＮ／ＯＦＦ」するかが記憶され、伝送品質劣化要因欄８７は、（ｂ）〜（ｅ）が該当していることが記憶されている。
【００５４】
Ｎｏ４として、通信品質情報欄８１には「モデム選別」、伝送品質に劣化ありと判断する基準値８３には「Ｖ１７／Ｖ２９／Ｖ２７ｔｅｒ」、補足欄８５には「Ｖ３７／Ｖ１７／Ｖ２９／Ｖ２７ｔｅｒ」のモデムの中から選別して記憶され、伝送品質劣化要因欄８７は、（ｂ）〜（ｅ）が該当していることが記憶されている。
Ｎｏ５として、通信品質情報欄８１には「通信開始レート」、伝送品質に劣化ありと判断する基準値８３には「２．４Ｋｂｐｓ以下」、補足欄８５には「２．４Ｋｂｐｓ−３３．６Ｋｂｐｓ」の範囲でレートを選択して記憶され、伝送品質劣化要因欄８７は、（ａ）〜（ｅ）が該当していることが記憶されている。
Ｎｏ６として、通信品質情報欄８１には「通信完了レート」、伝送品質に劣化ありと判断する基準値８３には「２．４Ｋｂｐｓ以下」、補足欄８５には「２．４Ｋｂｐｓ−３３．６Ｋｂｐｓ」の範囲でレートを選択して記憶され、伝送品質劣化要因欄８７は、（ｂ）〜（ｅ）が該当していることが記憶されている。
【００５５】
Ｎｏ７として、通信品質情報欄８１には「送信信号レベル」、伝送品質に劣化ありと判断する基準値８３には「−８ｄｂｍ」、補足欄８５には「信号レベル（ｄｂｍ）」として記憶され、伝送品質劣化要因欄８７は、（ａ）が該当していることが記憶されている。
Ｎｏ８として、通信品質情報欄８１には「受信信号感度」、補足欄８５には「信号レベル（ｄｂｍ）」として記憶され、伝送品質劣化要因欄８７は、（ａ）が該当していることが記憶されている。
Ｎｏ９として、通信品質情報欄８１には「制御フレーム再送回数」、伝送品質に劣化ありと判断する基準値８３には「２回以上」、補足欄８５には再送された「回数」を記憶し、伝送品質劣化要因欄８７は、（ｂ）〜（ｇ）が該当していることが記憶されている。
【００５６】
Ｎｏ１０として、通信品質情報欄８１には「画情報再送回数」、伝送品質に劣化ありと判断する基準値８３には「２回以上」、補足欄８５には「再送された回数」を記憶し、伝送品質劣化要因欄８７は、（ｂ）〜（ｇ）が該当していることが記憶されている。
Ｎｏ１１として、通信品質情報欄８１には「切断要因（通信切断時）」、伝送品質に劣化ありと判断する基準値８３には「通信プロトコル異常と判断するエラーコード出力有無」、補足欄８５には「切断時の通信エラーコード」を記憶し、伝送品質劣化要因欄８７は、（ａ）〜（ｇ）が該当していることが記憶されている。
Ｎｏ１２として、通信品質情報欄８１には「ＥＱＭ値（受信時）」、補足欄８５には「モデム信号のばらつきを示す値」を記憶し、伝送品質劣化要因欄８７は、（ｂ）〜（ｆ）が該当していることが記憶されている。
なお、これらの情報は、図２に示す通信品質情報記憶部４３に記憶される。
【００５７】
＜画像通信装置の通信品質劣化要因とその優先度＞
図８は、本発明が適用される画像通信装置の通信パラメータ補正部が通信パラメータを補正する時に参照する通信品質劣化要因とその優先度を示す図である。
通信パラメータ記憶部４５には、グループ（同じ効果を示すパラメータを同じグループに配置）９１、補正優先度９３、補正前の初期値９５、補正済と判断する基準値９７、通信パラメータ９９、関連する伝送品質劣化要因１０１があり、関連する伝送品質劣化要因欄１０１は更に伝送損失（ａ）、減衰ひずみ（ｂ）、雑音（ｃ）、群遅延歪み（ｄ）、エコー（ｅ）、位相ジッタ（ｆ）、瞬断（ｇ）がある。ここで○印は各パラメータに該当する場合を表している。
【００５８】
この例では、Ｎｏ１として、グループ９１は「Ａ」、補正優先度９３は「３」、補正前の初期値６５は「ＯＮ設定」、補正済と判断する基準値９７は「ＯＦＦ設定」、通信パラメータ９９は「ＥＣＭ機能」、関連する伝送品質劣化要因１０１は（ｂ）〜（ｆ）が該当していることが記憶されている。
Ｎｏ２として、グループ９１は「Ａ」、補正優先度９３は「２」、補正前の初期値９５は「ＯＮ設定」、補正済と判断する基準値９７は「ＯＦＦ設定」、通信パラメータ９９は「Ｖ８機能」、関連する伝送品質劣化要因１０１は（ｂ）〜（ｆ）が該当していることが記憶されている。
Ｎｏ３として、グループ９１は「Ａ」、補正優先度９３は「１」、補正前の初期値９５は「３３．６Ｋｂｐｓ」、補正済と判断する基準値９７は「１４．４Ｋｂｐｓ」、通信パラメータ９９は「通信開始レート」、関連する伝送品質劣化要因１０１は（ｂ）〜（ｆ）が該当していることが記憶されている。
【００５９】
Ｎｏ４として、グループ９１は「Ｂ」、補正優先度９３は「１」、補正前の初期値９５は「−８ｄｂｍ」、補正済と判断する基準値９７は「−６ｄｂｍ」、通信パラメータ９９は「送信信号レベル」、関連する伝送品質劣化要因１０１は（ａ）が該当していることが記憶されている。
Ｎｏ５として、グループ９１は「Ｂ」、補正優先度９３は「１」、補正前の初期値９５は「−４４．５ｄｂｍ」、補正済と判断する基準値９７は「−５２．５ｄｂｍ」、通信パラメータ９９は「受信信号レベル」、関連する伝送品質劣化要因１０１は（ａ）が該当していることが記憶されている。
Ｎｏ６として、グループ９１は「Ｃ」、補正優先度９３は「１」、補正前の初期値９５は「７０秒」、補正済と判断する基準値９７は「１２０秒」、通信パラメータ９９は「相手先応答検出タイマー」、関連する伝送品質劣化要因１０１は（ｃ）が該当していることが記憶されている。
Ｎｏ７として、グループ９１は「Ｄ」、補正優先度９３は「１」、補正前の初期値９５は「０Ｋｍ」、補正済と判断する基準値９７は「７．２Ｋｍ」、通信パラメータ９９は「ケーブルイコライザー（送信時）」、関連する伝送品質劣化要因７１は（ｂ）が該当していることが記憶されている。
なお、補正前の初期値６５は図６の設定値７３の具体値として示す。
【００６０】
＜画像通信装置の通信パラメータ補正要否判断部の動作説明＞
図９は、本発明が適用される画像通信装置の通信パラメータ補正要否判断部の動作を説明するフローチャートである。なお、説明中は図４〜図８を併せて参照する。
ステップＳ２１では、図１の通信品質情報記憶部４３から直近の通信品質情報を読み出す。
ステップＳ２３では、通信開始レートが伝送品質に劣化ありと判断する基準値「２６．４Ｋｂｐｓ以下」を満たすか、又は通信完了レートが通信開始レートより低い傾向があるかを判断し、いずれかの要件を満たすと（ステップＳ２３でＹｅｓのルート）ステップＳ３５に進んで補正を実行する。一方、ステップＳ２３でいずれの要件も満たさなければ、ステップＳ２５に進む。
ステップＳ２５では、制御フレーム再送回数が伝送品質に劣化ありと判断する基準値「２回以上」を満たすかを判断し、要件を満たすと（ステップＳ２５でＹｅｓのルート）ステップＳ３５に進んで補正を実行する。一方、ステップＳ２５で要件を満たさなければ、ステップＳ２７に進む。
【００６１】
ステップＳ２７では、画情報再送回数が伝送品質に劣化ありと判断する基準値「２回以上」を満たすかを判断し、要件を満たすと（ステップＳ２７でＹｅｓのルート）ステップＳ３５に進んで補正を実行する。一方、ステップＳ２７で要件を満たさなければ、ステップＳ２９に進む。
ステップＳ２９では、切断要因が伝送品質に劣化ありと判断する基準値「通信プロトコル異常と判断するエラーコード出力有無」を満たすかを判断し、要件を満たすと（ステップＳ２９でＹｅｓのルート）ステップＳ３５に進んで補正を実行する。一方、ステップＳ２９で要件を満たさなければ、ステップＳ３１に進む。
ステップＳ３１では、ＥＱＭ値が伝送品質に劣化ありと判断する基準値を満たすかを判断し、要件を満たすと（ステップＳ３１でＹｅｓのルート）ステップＳ３５に進んで補正を実行する。一方、ステップＳ３１で要件を満たさなければ、ステップＳ３３に進んで補正を実行しない。
【００６２】
＜画像通信装置の通信パラメータ補正部の動作説明＞
図１０は、本発明が適用される画像通信装置の通信パラメータ補正部の動作を説明するフローチャートである。
ステップＳ４１では、図２の通信品質情報記憶部１３から直近の通信品質情報を読み出す。
ステップＳ４３では、図６に従い伝送品質に劣化ありと判断する基準を満たしている通信品質情報から関連する品質劣化要因を全て抽出する。
ステップＳ４５では、図７に従い伝送品質劣化要因に関連する通信パラメータを補正する。この時、補正する通信パラメータは、同一グループ毎に優先度に従い選定するが、当該パラメータが補正済の場合は次の優先度のパラメータを補正する。
【００６３】
＜本発明の実施態様例の構成、作用、効果＞
＜第１態様＞
本態様の画像通信装置１は、通信回線を介して画像データの送受信が完了した後に、当該送受信に係る通信品質情報を記憶する通信品質情報記憶部（通信品質情報記憶手段）７３と、通信パラメータ種別７１、通信パラメータ種別７１に係る各設定値７３、及び通信パラメータ種別７１に該当する設定情報７５を記憶する通信パラメータ記憶部（通信パラメータ記憶手段）４５と、通信品質情報記憶部４３から読み出された通信品質情報６１に基づいて、通信パラメータ記憶部４５に記憶された通信パラメータ種別７１の補正の要否を判断する通信パラメータ補正要否判断部（通信パラメータ補正要否判断手段）４７と、通信パラメータ補正要否判断部４７により補正が必要であると判断された場合に、補正が必要な通信パラメータ種別７１を補正して通信パラメータ記憶部４５に記憶する通信パラメータ補正部（通信パラメータ補正手段）４９と、を備えたことを特徴とする。
本態様によれば、システム制御部９は、通信回線を介して画像データの送受信が完了した後に、通信品質情報記憶部４３に直近の通信品質情報を記憶し、この通信品質情報６１に基づいて通信パラメータ種別７１を生成して通信パラメータ記憶部４５に記憶し、記憶された通信パラメータ種別７１から補正が必要か否かを基準値に基づいて通信パラメータ補正要否判断部４７により判断し、補正の必要がありと判断された通信パラメータ種別７１を通信パラメータ補正部４９により補正して、通信パラメータ記憶部４５を更新する。
以上の動作により、回線品質が悪い場合でも、通信中内のリカバリの繰り返しや、通信エラーと再送を最小限に抑えて通信効率を向上させることができる。
【００６４】
＜第２態様＞
通信パラメータ補正要否判断部４７は、通信品質情報記憶部４３に記憶された通信品質情報６１から選別された選別品質情報に基づいて通信パラメータ種別７１の補正の要否を判断することを特徴とする。
本態様によれば、通信品質情報６１の中から通信品質に特に影響がある選別品質情報に基づいて補正の要否を判断する。
これにより、必要な通信品質に対してのみ補正の要否を判断することができるので、判断処理の効率を向上することができる。
【００６５】
＜第３態様＞
選別品質情報は、モデム選別、通信開始レート、通信完了レート、通信完了レート、制御フレーム再送回数、画情報再送回数、切断要因、及びＥＱＭ値のうち少なくとも１つであることを特徴とする。
本態様によれば、選別品質情報を複数の通信品質情報から少なくとも１つとするので、通信品質に関わる情報のみで通信パラメータ７１を決定することができる。
【００６６】
＜第４態様＞
通信パラメータ補正要否判断部４７は、選別品質情報のそれぞれに基準値８３を設定し、この基準値８３を満たさなかった時に通信パラメータ種別７１を補正すると判断することを特徴とする。
本態様によれば、選別品質情報のそれぞれに基準値８３を設定して、その基準値８３に基づいて補正の判断要否を決定する。
これにより、通信品質を一定に保持することができる。
【００６７】
＜第５態様＞
通信パラメータ補正部４９は、通信パラメータ補正要否判断部４７により補正が必要であると判断された場合、通信品質情報記憶部４３に記憶された通信品質情報から伝送品質劣化要因８７を抽出し、抽出された伝送品質劣化要因８７に関連する通信パラメータ種別９９を補正することを特徴とする。
本態様によれば、通信パラメータ補正部４９は、補正が必要であると判断された通信パラメータから伝送品質劣化要因８７を抽出して補正する。
これにより、補正の信頼性を向上することができる。
【００６８】
＜第６態様＞
通信パラメータ補正部４９は、伝送品質劣化要因が同一の通信パラメータ９９を同一のグループ９１とし、グループ毎の優先度９３に従って該当する通信パラメータ９９を選定して補正することを特徴とする。
本態様によれば、伝送品質劣化要因が同一の通信パラメータ同士を同じグループとし、そのグループの中で優先度を設定して補正する。
これにより、補正の重要度毎に効率よく補正することができる。
【００６９】
＜第７態様＞
通信回線を介して画像データの送受信が完了した後に、当該送受信に係る通信品質情報を記憶する通信品質情報記憶部（通信品質情報記憶手段）１３と、通信パラメータ種別４１、通信パラメータ種別４１に係る各設定値４３、及び通信パラメータ種別４１に該当する設定情報４５を記憶する通信パラメータ記憶部（通信パラメータ記憶手段）１５と、を備えた画像通信装置による画像通信方法であって、通信品質情報記憶部１５から読み出された通信品質情報３１に基づいて、通信パラメータ記憶部１５に記憶された通信パラメータ種別４１の補正の要否を判断する通信パラメータ補正要否判断ステップと、通信パラメータ補正要否判断ステップにより補正が必要であると判断された場合に、補正が必要な通信パラメータ種別４１を補正して通信パラメータ記憶部１５に記憶する通信パラメータ補正ステップと、を実行することを特徴とする。
本態様によれば、システム制御部９は、通信回線を介して画像データの送受信が完了した後に、通信品質情報記憶部４３に直近の通信品質情報を記憶し、この通信品質情報６１に基づいて通信パラメータ種別７１を生成して通信パラメータ記憶部４５に記憶し、記憶された通信パラメータ種別７１から補正が必要か否かを基準値に基づいて通信パラメータ補正要否判断部４７により判断し、補正の必要がありと判断された通信パラメータ種別７１を通信パラメータ補正部４９により補正して、通信パラメータ記憶部４５を更新する。
以上の動作により、回線品質が悪い場合でも、通信中内のリカバリの繰り返しや、通信エラーと再送を最小限に抑えて通信効率を向上させることができる。
【００７０】
＜第８態様＞
請求項７に記載された画像通信方法における各ステップをプロセッサに実行させることを特徴とする。
本態様によれば、各ステップをプロセッサに実行させることができる。このため、回線品質が悪い場合でも、通信中内のリカバリの繰り返しや、通信エラーと再送を最小限に抑えて通信効率を向上させることができる。
【符号の説明】
【００７１】
３１…画像通信装置、３３…画像メモリ、３５…画像読み取り部、３７…画像データ符号化／複合部、３９…システム制御部、４１…画像印刷部、４３…通信品質情報記憶部、４５…通信パラメータ記憶部、４７…通信パラメータ補正要否判断部、４９…通信パラメータ補正部、５１…ＦＡＸ通信制御部、５３…モデム制御部、５５…モデム制御ログ、５７…公衆回線網
【先行技術文献】
【特許文献】
【００７２】
【特許文献１】特開平０８−１３０５３０号公報
【図１】
2020136808.tif 000003
【図２】
2020136808.tif 000004
【図３】
2020136808.tif 000005
【図４】
2020136808.tif 000006
【図５】
2020136808.tif 000007
【図６】
2020136808.tif 000008
【図７】
2020136808.tif 000009
【図８】
2020136808.tif 000010
【図９】
2020136808.tif 000011
【図１０】
2020136808.tif 000012